(57)【特許請求の範囲】
【請求項１】
錠本体は、錠片が錠箱から引戸開閉方向と直交する方向に出没するよう構成され、突出した錠片が受具に係脱して施解錠され、錠片が出没する面側に錠本体と別体のトリガー部材を設けて成る引戸錠装置であって、トリガー部材は、引戸に取り付けられる取付具に摺動具を引戸開閉方向に移動可能に取り付けて成り、摺動具には、錠片が出没可能な開口部を設けると共に、取付具から引戸の閉鎖方向に突出する突出部を設け、さらに、開口部には、突出しようとする錠片が当接してその突出を阻止することができる阻止部を設けて成り、受具には、引戸閉鎖時にトリガー部材の突出部が当接する当接部を設けると共に、突出した錠片が係止される係止部を設けて成り、引戸開放時においては、摺動具は、突出部が突出すると共に阻止部が錠片の突出方向の少なくとも一部を塞ぐ方向に、付勢されており、施錠具を操作しても、錠片は阻止部に当接して突出せず、引戸閉鎖時においては、トリガー部材の突出部が受具の当接部に当接し押し込まれて摺動具が移動し、錠片の突出方向を塞いでいた阻止部が移動して、錠片が摺動具の開口部を通過して突出することが可能な状態となり、施錠具を操作することによって、錠片が突出して受具の係止部に係止されて施錠できるようになることを特徴とする引戸錠装置。
【発明の詳細な説明】
【技術分野】
【０００１】
本発明は、施錠具を操作することによって、施解錠するタイプの引戸錠装置であって、建物の開口に外付けで取付施工するいわゆるアウトセット引戸に使用するのに適しているものである。
【背景技術】
【０００２】
従来より、特開２００５−１６３２９４号発明のように、施錠具を操作することによって、錠片が錠箱から引戸開閉方向と直交する方向に出没し、突出した錠片が受具に係脱して施解錠される引戸錠装置は提案されている。また、特開２００６−３２２２０４号発明のように、錠箱の中からトリガーボルトが突出し、引戸開放時には施錠できず、引戸が閉鎖した時に、トリガーボルトが押し込まれて、施錠することができるようにした引戸錠は古くから種々のものが提案されている。
【特許文献１】特開２００５−１６３２９４号公報
【特許文献２】特開２００６−３２２２０４号公報
【発明の開示】
【発明が解決しようとする課題】
【０００３】
上記前者の従来例においては、アウトセット引戸に使用するのに適しているものであるが、引戸を閉鎖していない状態でも、錠片を突出させることができるので、この状態で引戸を閉鎖すると、取付枠に衝突して取付枠を傷めたり、引戸錠装置が壊れたりするという問題がある。
【０００４】
この問題を解決する装置として、後者の従来例のようなトリガーボルト付きの引戸錠が提案されているのであるが、これは、トリガーボルトが引戸の厚さ方向の中心から出没することになるので、これをアウトセット引戸に適用しようとすると、トリガーボルトの受具をトリガーボルトが当接できる位置まで取付枠側の壁面から突出させる必要があり、その突出量は大きくなってしまい、人がぶつかって危険であるし、歩行の邪魔にもなるという問題があり、本発明はこの問題を解決することを課題とするものである。
【課題を解決するための手段】
【０００５】
本発明は、上記の課題を解決するために、錠本体は、錠片が錠箱から引戸開閉方向と直交する方向に出没するよう構成され、突出した錠片が受具に係脱して施解錠され、錠片が出没する面側に錠本体と別体のトリガー部材を設けて成る引戸錠装置であって、トリガー部材は、引戸に取り付けられる取付具に摺動具を引戸開閉方向に移動可能に取り付けて成り、摺動具には、錠片が出没可能な開口部を設けると共に、取付具から引戸の閉鎖方向に突出する突出部を設け、さらに、開口部には、突出しようとする錠片が当接してその突出を阻止することができる阻止部を設けて成り、受具には、引戸閉鎖時にトリガー部材の突出部が当接する当接部を設けると共に、突出した錠片が係止される係止部を設けて成り、引戸開放時においては、摺動具は、突出部が突出すると共に阻止部が錠片の突出方向の少なくとも一部を塞ぐ方向に、付勢されており、施錠具を操作しても、錠片は阻止部に当接して突出せず、引戸閉鎖時においては、トリガー部材の突出部が受具の当接部に当接し押し込まれて摺動具が移動し、錠片の突出方向を塞いでいた阻止部が移動して、錠片が摺動具の開口部を通過して突出することが可能な状態となり、施錠具を操作することによって、錠片が突出して受具の係止部に係止されて施錠できるようになることを特徴とする引戸錠装置である。
【発明の効果】
【０００６】
本発明は、引戸を閉鎖していない状態では、錠片を突出させないようにすることができ、なおかつ、トリガー部材の突出部が引戸の厚さ方向の中心よりも取付枠側の壁面寄りに設けることができるので、受具を取付枠側の壁面から大きく突出させる必要がなく、人がぶつかる危険が減少し、歩行の邪魔にもなりにくいという効果がある。
【０００７】
また、トリガー部材を錠箱と別体に設けて成るので、厚さが違う引戸に対しても、トリガー部材の突出部の引戸面からの厚さ方向の位置は一定にすることができ、受具の取付枠側の壁面からの突出寸法を変更することなく、種々の厚さの引戸に対応することができるという効果もある。
【実施例】
【０００８】
錠本体１は、錠箱５に、作動具６を軸支し、伝達具７、変換具８及び連係ピン１３を介して、ガイド具９に案内される錠片１０を引戸Ｈの開閉方向と直交する方向（室内外方向）に直線的に出没させるように設けて成り、引戸Ｈの大手面（見込み面）から孔を明けて挿入して取り付け、その表面を表面板１１で被覆され、ねじ３０・３０で引戸Ｈに固定される。また、取付の際に引戸Ｈの切り欠いた側面部分を隠すように、トリガー部材１２を取り付けてある。なお、錠片１０は、引戸Ｈの開閉方向と直交する方向に出没するようになっていればよく、回動して出没してもよいし、本実施例のように直線的な動きに限定されるものではない。
【０００９】
作動具６は、一端を錠箱５の後方から突出させて連係孔２８を設け、他端を伝達具７に連結させてあり、伝達具７は、上下動可能で、前面上下部に２本のボス１６・１６を立設してあり、このボス１６・１６に、変換具８のボス孔１８・１８が係合するようになっている。
【００１０】
変換具８は、正方形の板状で、ボス孔１８・１８の間に斜めに誘導孔１７を設けてあり、誘導孔１７の上下両端には垂直外方に伸びる直線部分がある。この変換具８は、ボス孔１８・１８がボス１６・１６に係合して伝達具７と一緒に上下動するもので、その表裏を反転しても、ボス孔１８・１８がボス１６・１６に係合し、誘導孔１７はその傾斜が逆になるようになっている。なお、変換具８の形状は、長方形でもよく、要するに、その表裏を反転しても、ボス孔１８・１８がボス１６・１６に係合し、かつ誘導孔１７がその傾斜が逆になるものであればよい。
【００１１】
ガイド具９は、変換具８の前面に位置するように、ビス２９・２９で錠箱５に固定され、その背板部１５には、中央に横長の案内孔１９を設けると共に、前面上下部に相対向する案内溝２０・２０を設けてある。ガイド具９が錠箱５に固定されると、その案内孔１９は、変換具８の誘導孔１７と交差する。
【００１２】
錠片１０は、一端部上下に突起２１・２１を設けてあり、ガイド具９の案内溝２０・２０に摺動自在に案内され、後面には、連係ピン１３が係合する係合孔２２を設けてある。連係ピン１３は、変換具８の誘導孔１７に係合すると共に、ガイド具９の案内孔１９を貫通して、錠片１０の係合孔２２に係合するようになっている。さらに、錠片１０の他端部の後面（引戸開放側の面）には、上下部に長方形状に切り欠いてある切欠部３９・３９を設けてある。
【００１３】
トリガー部材１２は、錠片１０が出没する側の引戸Ｈの切り欠いた側面部分を隠すように、引戸Ｈの当該側面側の表面に当接させるように位置させ、取付の際にねじ４９を錠本体１のねじ孔４７・４７に螺合して固定する。この固定方法であると、引戸Ｈの厚さにかかわらず、トリガー部材１２は、引戸Ｈの表面に当接するように固定することができるので、錠片１０が施錠できる一定の範囲内で種々の厚さの引戸に対応して固定することができるものである。錠本体１には、引戸Ｈの左右勝手に対応するために、反対面にもねじ孔４７・４７を設けてある。
【００１４】
また、トリガー部材１２を引戸Ｈの表面に木ねじ等で固定する方法も考えられるが、錠本体１に対してトリガー部材１２の位置決めをしなくてはならずそのための部材が別に必要になるし、全体が大型化してしまうし、コスト高になるというデメリットがあるが、本実施例の固定方法であると、錠本体１に対してトリガー部材１２の位置決めも同時にできるという効果がある。
【００１５】
トリガー部材１２は、横断面形状が略Ｌ字状の取付具３２を有し、取付具３２の長板部４０には、内面に一段低くなった凹部４２を設けると共に、短板部４１には、縦長の出没孔４３を設けてあり、凹部４２には、摺動具３３を引戸Ｈの開閉方向に移動可能に収納し、ばね３５で前方つまり短板部４１方向（引戸Ｈの閉鎖方向）に付勢し、それらを覆うように蓋具３４を被着して構成してある。
【００１６】
また、トリガー部材１２の取付具３２の長板部４０に設けた凹部４２には、底面に縦長の略長方形状の通過孔部３１を設けると共に、蓋具３４にも同様の位置に、ほぼ同様の形状で一辺が欠けている通過孔部４８を設け、さらに、摺動具３３には、先端側に引戸Ｈの閉鎖方向へ、出没孔４３から略半円弧状に突出する突出部３６を設けると共に、略中央には開口部３７を設けてあり、この開口部３７は、取付具３２の通過孔部３１及び蓋具３４の通過孔部４８にほぼ対応する位置にあり、縦長の略長方形状の一方側の上下の角部に略長方形状に突出する阻止部３８・３８を設けてある。
【００１７】
トリガー部材１２は、上下略対称に構成されており、上下反転して引戸Ｈの両側面に取り付けて使用できるようになっており、引戸Ｈの左右の勝手違いに対応して取り付けることができるようになっている。
【００１８】
引戸Ｈが開放している時は、前述のように摺動具３３は、ばね３５で前方つまり短板部４１方向（引戸Ｈの閉鎖方向）に付勢され、突出部３６が取付具３２の出没孔４３から突出すると共に、阻止部３８・３８が摺動具３３の通過孔部３１及び蓋具３４の通過孔部４８の一部を塞いでいる（図３、図６、図９、図１２及び図１５参照）。この状態では、図９に示すように、錠片１０の切欠部３９・３９が摺動具３３の阻止部３８・３８に係合しており、錠片１０が突出しようとしても、切欠部３９・３９の底面が阻止部３８・３８に当たって突出することができないようになっている。
【００１９】
受具２は、取付枠側の壁面に固定されるベース部４４の先端側（引戸Ｈの閉鎖方向側）に表面側に垂直に立ち上がる当接部４５を設け、さらに、ベース部４４には、錠片１０を受け入れて係止する、略長方形の孔である係止部４６を設けてある。この受具２は、係止部４６の上下部をねじ５０・５０によって取付枠側の壁面に固定される。
【００２０】
トリガー部材１２の摺動具３３の突出部３６が受具２の当接部４５に当接して押されると、摺動具３３は後方（引戸Ｈの開放方向）へ移動する（図７、図１０及び図１３参照）。この状態では、摺動具３３の開口部３７も移動し、阻止部３８・３８が取付具３２の通過孔部３１及び蓋具３４の通過孔部４８から外れるようになっている。
【００２１】
引手３は、室内側に配設され、手掛け部２３内の上部に施錠具１４を上下動可能に設けてあり、引手４は、室外側に配設され、手掛け部２３に対向するように、手掛け部２４を設け、その上部に表示窓２５を設けてある。その表示窓２５の部分に、非常解錠片２６を上下動可能に設けてある。そして、施錠具１４と非常解錠片２６は、連動バー２７で連係されており、一緒に上下動するようになっている。この連動バー２７は、作動具６の連係孔２８に挿通され、施錠具１４又は非常解錠片２６を上下動すると、連動バー２７により、作動具６は回動するものである。
【００２２】
図１に示すような左勝手の引戸Ｈに使用する場合には、図５及び図１７に示すように、変換具８を、誘導孔１７が見込み面から見て右上から左下方向になるように、ボス１６・１６にボス孔１８・１８を係合させて、伝達具７に取り付ける。そして、錠片１０を見込面から見て左側に突出するように、突起２１・２１を案内溝２０・２０に係合させて、ガイド具９に取り付け、連係ピン１３の一端を、案内孔１９を貫通して係合孔２２に嵌め、他端を誘導孔１７に係合させ、ガイド具９をビス２９・２９で錠箱５に固定する。
【００２３】
左勝手から右勝手の引戸用に変更する方法について説明する。図２３の状態からビス２９・２９を外してガイド具９を外し、連係ピン１３を抜き（図２４参照）、変換具８を外し表裏反転して、誘導孔１７が見込み面から見て左上から右下方向になるように、ボス１６・１６にボス孔１８・１８を係合させて、伝達具７に取り付ける。さらに、錠片１０が取り付けられたガイド具９を上下逆にするか、錠片１０だけを案内溝２０・２０から抜いて上下逆にして案内溝２０・２０に取り付けて、錠片１０の突出方向を逆にして（図２５参照）、ガイド具９を取り付けると、錠片１０は逆向き（見込面から見て右側）に突出するようになり、右勝手の引戸用に変更することができ、また、トリガー部材１２も上下反転させて（図２６参照）、引戸Ｈの反対側面に固定する。
【００２４】
左勝手の引戸Ｈの場合の施錠動作について説明する。引戸Ｈが開放されている解錠時は、トリガー部材１２においては、摺動具３３が前方（引戸Ｈの閉鎖方向）に付勢されて、突出部３６が取付具３２の出没孔４３から突出すると共に、阻止部３８・３８が取付具３２の通過孔部３１及び蓋具３４の通過孔部４８の一部を塞いでおり（図６、図９及び図１２参照）、錠本体１においては、連係孔２８を設けた作動具６の一端部が上位置にあり、伝達具７と変換具８は下がり、錠片１０は引っ込んでいる状態である（図９、図１２、図１７、図１９及び図２１参照）。
【００２５】
この状態から引戸Ｈを閉鎖すると、トリガー部材１２の摺動具３３の突出部３６が受具２の当接部４５に当接して押され、摺動具３３は後方（引戸Ｈの開放方向）へ移動し、開口部３７も移動し、阻止部３８・３８が取付具３２の通過孔部３１及び蓋具３４の通過孔部４８から外れて、錠片１０が突出できる状態（図７、図１０及び図１３参照）となる。そして、この状態から施錠具１４を下げると、連動バー２７が連係孔２８を押し下げて作動具６の他端を上方に回動し、伝達具７と変換具８は上方に移動する。すると、連係ピン１３は、変換具８の誘導孔１７とガイド具９の案内孔１９に案内されて、引戸Ｈの室外方向（見込み面から見て左方）に移動し、この連係ピン１３に係合している錠片１０が左方に移動し、引戸Ｈから突出する（図８、図１１、図１４、図１８、図２０及び図２２参照）。そして、この錠片１０が受具２に係合し、引戸Ｈは施錠状態となる（図１１及び図１４参照）。
【００２６】
次に解錠動作について説明する。上記の状態から、施錠具１４を上げると、連動バー２７が連係孔２８を押し上げて作動具６の他端を下方に回動し、伝達具７と変換具８は下方に移動する（図１９及び図２１参照）。すると、連係ピン１３は、変換具８の誘導孔１７とガイド具９の案内孔１９に案内されて、引戸Ｈの室内方向（見込み面から見て右方）に移動し、この連係ピン１３に係合している錠片１０が室内方向（見込み面から見て右方）に移動し引っ込んで、解錠状態となる（図１０、図１３及び図１７参照）。
【００２７】
右勝手の引戸Ｈの場合の施解錠動作については、上述した左勝手の場合とは錠片の左右の動きが逆になるだけであるので説明を省略する。
【図面の簡単な説明】
【００２８】
【図１】引戸開放時の全体斜視図。
【図２】図１の要部の拡大斜視図。
【図３】錠本体の表面板とトリガー部材を外した状態の分解斜視図。
【図４】トリガー部材の分解斜視図。
【図５】錠本体の分解斜視図。
【図６】図２の引戸を省略したＡ−Ａ線拡大断面図（引戸が開放されている状態）。
【図７】引戸が閉鎖された状態の図６と同様の拡大断面図。
【図８】引戸が閉鎖され、かつ施錠された状態の図６と同様の拡大断面図。
【図９】図６のＢ−Ｂ線断面図に引戸、錠本体及び受具を描き加えた図（引戸が開放されている状態）。
【図１０】図７のＣ−Ｃ線断面図に引戸、錠本体及び受具を描き加えた図（引戸が閉鎖された状態）。
【図１１】図８のＤ−Ｄ線断面図に引戸、錠本体及び受具を描き加えた図（引戸が閉鎖され、かつ施錠された状態）。
【図１２】図２と反対面側から見た引戸に取り付けた解錠状態を示す要部の斜視図であり、取付枠は省略してある。
【図１３】図１２の状態から引戸を閉鎖方向に移動させ受具（仮想線で描いてある）に当接した状態の要部の斜視図である。
【図１４】図１３の状態から錠片を突出させた施錠状態の要部の斜視図である。
【図１５】図３と反対面側から見た状態の錠本体の表面板とトリガー部材を外した状態の分解斜視図。
【図１６】図１５の状態から、トリガー部材の突出部を引っ込め、錠本体の錠片を突出させた状態の分解斜視図。
【図１７】表面板とガイド具を外した解錠状態の錠本体の正面図（錠片を仮想線で描いてある）。
【図１８】表面板とガイド具を外した施錠状態の錠本体の正面図（錠片を仮想線で描いてある）。
【図１９】図１７のＥ−Ｅ線断面図。
【図２０】図１８のＦ−Ｆ線断面図。
【図２１】引戸に取り付けた解錠状態を示す引手部分の縦断面図。
【図２２】引戸に取り付けた施錠状態を示す引手部分の縦断面図。      図２３〜図２６は、錠本体の左右勝手を変更する過程を示す、表面板を省略した状態の斜視図である。
【図２３】左勝手の引戸に使用する時の錠本体及びトリガー部材の斜視図。
【図２４】図２３の状態から、ガイド具を外した状態の錠本体の斜視図。
【図２５】図２４の状態から、錠片の突出方向を逆にすると共に、変換具の表裏を逆にして誘導孔の傾斜を逆にした状態の錠本体の斜視図。
【図２６】図２５の状態にガイド具を取り付け、トリガー部材を反転して反対面側に位置させた状態の斜視図、すなわち、右勝手の引戸に使用する時の錠本体及びトリガー部材の斜視図。
【符号の説明】
【００２９】
１  錠本体
２  受具
５  錠箱
１０  錠片
１２  トリガー部材
１４  施錠具
３２  取付具
３３  摺動具
３６  突出部
３７  開口部
３８  阻止部
４６  係止部
Ｈ  引戸
【図１】
0004769787.tif 000002
【図２】
0004769787.tif 000003
【図３】
0004769787.tif 000004
【図４】
0004769787.tif 000005
【図５】
0004769787.tif 000006
【図６】
0004769787.tif 000007
【図７】
0004769787.tif 000008
【図８】
0004769787.tif 000009
【図９】
0004769787.tif 000010
【図１０】
0004769787.tif 000011
【図１１】
0004769787.tif 000012
【図１２】
0004769787.tif 000013
【図１３】
0004769787.tif 000014
【図１４】
0004769787.tif 000015
【図１５】
0004769787.tif 000016
【図１６】
0004769787.tif 000017
【図１７】
0004769787.tif 000018
【図１８】
0004769787.tif 000019
【図１９】
0004769787.tif 000020
【図２０】
0004769787.tif 000021
【図２１】
0004769787.tif 000022
【図２２】
0004769787.tif 000023
【図２３】
0004769787.tif 000024
【図２４】
0004769787.tif 000025
【図２５】
0004769787.tif 000026
【図２６】
0004769787.tif 000027